(57)【要約】【課題】本発明は、装填された記録ディスクカートリッジ内に塵埃が入り込むのを抑制することができるドライブ装置を提供する。【解決手段】本発明は、上ケース１ａおよび下ケース１ｂを備え、記録ディスクメディアが収容され、ヘッドのアクセス用開口部が形成された記録ディスクカートリッジの収容空間２が、上ケース１ａと下ケース１ｂとの間に形成されたドライブ装置Ｄであって、上ケース１ａおよび下ケース１ｂの少なくとも一方に、記録ディスクメディアの回転により生じる空気流を導くための溝部２０Ａ，３０Ａを設けた。【選択図】図２
2007164943.tif 000002
【特許請求の範囲】
【請求項１】
上ケースおよび下ケースを備え、
記録ディスクメディアが収容され、ヘッドのアクセス用開口部が形成された記録ディスクカートリッジの収容空間が、前記上ケースと前記下ケースとの間に形成されたドライブ装置であって、
前記上ケースおよび前記下ケースの少なくとも一方に、前記記録ディスクメディアの回転により生じる空気流を導くための溝部を設けたことを特徴とするドライブ装置。
【請求項２】
前記溝部は前記収容空間に装着された前記記録ディスクカートリッジの前記アクセス用開口部に対向する領域を避けて形成されていることを特徴とする請求項１に記載のドライブ装置。
【請求項３】
前記上ケースおよび前記下ケースの少なくとも一方において、前記溝部は、第１の端部から第２の端部へ向けて形成されていることを特徴とする請求項１または請求項２に記載のドライブ装置。
【請求項４】
前記溝部は、前記第１の端部から前記第２の端部に向けて断面積が減少するように設けられていることを特徴とする請求項３に記載のドライブ装置。
【請求項５】
前記上ケースに設けた前記溝部と前記下ケースに設けた前記溝部とは相互に、空気流を導くための溝方向が異なる方向であることを特徴とする請求項１から請求項４のいずれか１項に記載のドライブ装置。
【請求項６】
前記上ケースおよび前記下ケースの少なくとも一方において、前記溝部は、複数設けられており、これら複数の溝が合流する合流部が設けられていることを特徴とする請求項１から請求項５のいずれか１項に記載のドライブ装置。
【請求項７】
前記溝部は、前記上ケースおよび前記下ケースの少なくとも一方に一体に形成されることを特徴とする請求項１から請求項６のいずれか１項に記載のドライブ装置。
【請求項８】
前記溝部は、前記上ケースおよび前記下ケースの少なくとも一方にシート状部材を取り付けることにより設けられることを特徴とする請求項１から請求項６のいずれか１項に記載のドライブ装置。
【発明の詳細な説明】
【技術分野】
【０００１】
本発明は、記録ディスクメディアを収容する記録ディスクカートリッジに対してデータの記録、再生を行うドライブ装置に関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
このような記録ディスクカートリッジに対してデータの記録、再生を行うドライブ装置としては、例えば、特許文献１に記載されたものが知られている。このドライブ装置は、記録ディスクカートリッジが装着できる装着空間と、この装着空間に記録ディスクカートリッジが装着された時に記録ディスクメディアを回転させる駆動手段と、記録ディスクメディアにアクセスする読み書きヘッドと、この読み書きヘッドを駆動するヘッド駆動装置とを備えて構成されている。
【特許文献１】特表２００２−５０３８６５号公報
【発明の開示】
【発明が解決しようとする課題】
【０００４】
ところで、前記従来のドライブ装置に記録ディスクカートリッジを装填して、記録、再生のために駆動手段により記録ディスクメディアを回転させると、記録ディスクメディアの回転によってドライブ装置内には、空気流が生じる。このような空気流が生じると、ドライブ装置の記録ディスクカートリッジの装填口に形成された隙間や他の端部の隙間を通じて、ドライブ装置内に外部からの空気が流れ込むという現象を生じ易く、流れ込んだ空気がアクセス用開口部から記録ディスクカートリッジ内に流れ込み、このことによって記録ディスクカートリッジ内に塵埃が入り込むおそれがあった。このようにして記録ディスクカートリッジ内に塵埃が入り込むと、データの記録再生時にエラーが発生するおそれがあった。
【０００５】
このような背景に鑑みて本発明がなされたのであり、本発明は、装填された記録ディスクカートリッジ内に塵埃が入り込むのを抑制することができ、データの記録再生を好適に行うことができるドライブ装置を提供することを課題とする。
【課題を解決するための手段】
【０００６】
本発明に係るドライブ装置は、上ケースおよび下ケースを備え、記録ディスクメディアが収容され、ヘッドのアクセス用開口部が形成された記録ディスクカートリッジの収容空間が、前記上ケースと前記下ケースとの間に形成されたドライブ装置であって、前記上ケースおよび前記下ケースの少なくとも一方に、前記記録ディスクメディアの回転により生じる空気流を導くための溝部を設けたことを特徴とする。
【０００７】
かかる構成によれば、上ケースおよび下ケースの少なくとも一方に、記録ディスクメディアの回転により生じる空気流を導くための溝部が設けられているので、この溝部を通じて空気流を所定の方向に導くことができる。これにより、例えば、記録ディスクカートリッジのアクセス用開口部へ向かう空気流を溝部で規制して、アクセス用開口部から外れる方向へ導くことが可能となる。
【０００８】
また、前記溝部は前記収容空間に装着された前記記録ディスクカートリッジの前記アクセス用開口部に対向する領域を避けて形成されている構成とするのがよい。
【０００９】
かかる構成によれば、記録ディスクカートリッジのアクセス用開口部に対向する領域を避けて溝部が形成されているので、アクセス用開口部へ向かう空気流を確実に抑制することができ、アクセス用開口部から記録ディスクカートリッジ内に塵埃が入り込むのを好適に防止することができる。
【００１０】
さらに、前記上ケースおよび前記下ケースの少なくとも一方において、前記溝部は、第１の端部から第２の端部へ向けて形成されている構成とするのがよい。
【００１１】
かかる構成によれば、上ケースおよび下ケースの少なくとも一方において、端部から端部（第１の端部から第２の端部）へ向けて流れる空気流を溝部によって形成することができ、上ケースおよび下ケースの外部から入り込んだ空気を再び外部に排出することが可能となるので、アクセス用開口部から記録ディスクカートリッジ内に塵埃が入り込むのを好適に防止することができる。
【００１２】
また、溝部は、前記第１の端部から前記第２の端部に向けて断面積が減少するように設けられている構成とするのがよい。
【００１３】
かかる構成によれば、第２の端部に近づくほど空気流は速くなり、上ケースまたは下ケースの隙間等を通じてドライブ装置から外に漏れる空気量を増大させることができる。これにより、アクセス用開口部から記録ディスクカートリッジ内に塵埃が入り込むのを好適に防止することができる。
【００１４】
さらに、前記上ケースに設けた前記溝部と前記下ケースに設けた前記溝部とは相互に、空気流を導くための溝方向が異なる方向である構成とするのがよい。
【００１５】
かかる構成によれば、上ケースと下ケースとで空気流を導くための溝方向を異なる方向とすることにより、上ケースに沿って流れる空気流と下ケースに沿って流れる空気流とを形成することができ、記録ディスクカートリッジの上面側と下面側とでは微妙に異なる空気流に対応させた流れを形成することができる。これにより、アクセス用開口部から記録ディスクカートリッジ内に塵埃が入り込むのをより一層好適に防止することができる。
【００１６】
また、前記上ケースおよび前記下ケースの少なくとも一方において、前記溝部は、複数設けられており、これら複数の溝が合流する合流部が設けられている構成とするのがよい。
【００１７】
かかる構成によれば、複数の溝が合流する合流部が設けられているので、合流部を通じて効率的に空気を導くことができ、アクセス用開口部から記録ディスクカートリッジ内に塵埃が入り込むのをより一層好適に防止することができる。
また、狭いスペースに効率よく溝部を形成することができ、空気流のコントロールを好適に行うことができる。
【００１８】
また、前記溝部は、前記上ケースおよび前記下ケースの少なくとも一方に一体に形成される構成としてもよいし、シート状部材を取り付けることにより設けられる構成としてもよい。
【００１９】
かかる構成によれば、従来のドライブ装置に大きな変更を加えることなく、空気流を所定の方向へ導く機能を、ドライブ装置に簡易に付加することができる。
【発明の効果】
【００２０】
本発明によれば、装填された記録ディスクカートリッジ内に塵埃が入り込むのを抑制することができ、記録ディスクメディアの高密度記録化を図ることができる。
【発明を実施するための最良の形態】
【００２１】
次に、本発明を実施するための最良の形態について、適宜図面を参照しながら説明する。参照する図面において、図１は本実施形態に係るドライブ装置を上方から見下ろした斜視図である。図２はこのドライブ装置の分解斜視図である。図３は蓋体に取り付けられる上シート状部材を示す斜視図、図４は蓋体に設けられた溝部による空気流を説明するための模式図、図５は本体に取り付けられる下シート状部材を示す斜視図、図６は本体に設けられた溝部による空気流を説明するための模式図である。なお、本実施形態において方向を説明する場合は、図１に示す前、後、右、左、上、下を基準として説明する。また、図１中、ドライブ装置の外観は実線で示し、内部構造は破線で示している。そして、図１には、ドライブ装置に装着する記録ディスクカートリッジをともに描いている。
【００２２】
まず、本実施形態に係るドライブ装置についての説明に先立ち、ドライブ装置に装着されて使用される記録ディスクカートリッジについて簡単に説明する。
【００２３】
図１に示すように、記録ディスクカートリッジ１００は、カートリッジケース１１０と、このカートリッジケース１１０の内部に回動可能に配置されたロータリシャッタ１２０と、このロータリシャッタ１２０の内部に回転自在に配置された記録ディスクメディアＤＭとを主に備えて構成されている。
【００２４】
カートリッジケース１１０は、薄型の箱状体であって、ドライブ装置ＤのカートリッジスロットＤＳに挿入される側に、くさび状に切り欠かれたアクセス用開口部１１１を有している。このアクセス用開口部１１１を介して、後記するドライブ装置Ｄのヘッド５が記録ディスクメディアＤＭにアクセスすることとなる。
カートリッジケース１１０の下面には、その左側寄りに円弧状のガイド溝１１２が穿設されている。このガイド溝１１２は、後記するロータリシャッタ１２０のシャッタノブ１２２の軌道に沿うように所定の曲率で形成されている。
【００２５】
ロータリシャッタ１２０は、その外形が略円盤形状を有する中空構造体であって、カートリッジケース１１０のアクセス用開口部１１１と略同形状のくさび状の切欠部１２１を有している。このロータリシャッタ１２０は、カートリッジケース１１０に回動自在に取り付けられている。そして、ロータリシャッタ１２０の下面には、シャッタノブ１２２が突設されている。このシャッタノブ１２２は、カートリッジケース１１０のガイド溝１１２を介して、記録ディスクカートリッジ１００の下面から突き出ている。
【００２６】
このような記録ディスクカートリッジ１００では、ドライブ装置Ｄに装着される前にあっては、ロータリシャッタ１２０が閉位置に配置される。つまり、ロータリシャッタ１２０の切欠部１２１とカートリッジケース１１０のアクセス用開口部１１１とがずれて配置される。このときシャッタノブ１２２は、カートリッジケース１１０のガイド溝１１２の後側に位置する。
そして、シャッタノブ１２２がガイド溝１１２内を前側に向かって円弧状の軌道を描きながら移動すると、この移動に伴って、ロータリシャッタ１２０は回動する。このようにロータリシャッタ１２０が回動してカートリッジケース１１０のアクセス用開口部１１１とロータリシャッタ１２０の切欠部１２１とが重なり合うことで、記録ディスクメディアＤＭが外部に臨むこととなる。つまり、ロータリシャッタ１２０は、開位置に配置される。このときシャッタノブ１２２は、カートリッジケース１１０のガイド溝１１２の前側に位置する。
【００２７】
また、記録ディスクカートリッジ１００がドライブ装置Ｄに装着される際には、後記するようにシャッタノブ１２２がガイド溝１１２内を前側に向かって円弧状の軌道を描きながら移動する。そして、この移動に伴って、ロータリシャッタ１２０が回動することでカートリッジケース１１０のアクセス用開口部１１１とロータリシャッタ１２０の切欠部１２１とが重なり合う。その結果、記録ディスクメディアＤＭが外部に臨むこととなる。つまり、ロータリシャッタ１２０は、開位置に配置されて、後記するドライブ装置Ｄのヘッド５が記録ディスクメディアＤＭにアクセス可能となる。このときシャッタノブ１２２は、カートリッジケース１１０のガイド溝１１２の前側に位置する。そして、ドライブ装置Ｄのスピンドルモータ３の回転軸４が記録ディスクメディアＤＭのハブ１２３に装着されることで、記録ディスクメディアＤＭが回転可能となる。
【００２８】
次に、本実施形態に係るドライブ装置Ｄについて説明する。
図１に示すように、ドライブ装置Ｄは、平面視で矩形の薄型の箱状体であって、その前側に記録ディスクカートリッジ１００を受け入れるカートリッジスロットＤＳが形成されている。そして、ドライブ装置Ｄの後端には下面側に複数の端子Ｔが設けられている。この端子Ｔは、ドライブ装置Ｄが着脱自在に取り付けられた電子機器（図示省略）との間で電気的な接続を確立するものである。ドライブ装置Ｄは、この端子Ｔを介して、記録ディスクメディアＤＭと、電子機器との間での情報の受け渡し、および受け取りを行うこととなる。そして、この端子Ｔを介してドライブ装置Ｄに電力が供給されることとなる。ちなみに、電子機器としては、ＣＰＵ（Central Processing Unit）やメモリを備えたものであれば特に制限はなく、例えば、パーソナルコンピュータ、プリンタ、複写機等の事務機器、デジタルカメラ、テレビ、録音装置、録画装置、冷蔵庫、電子レンジ等の家電製品が挙げられる。
【００２９】
このようなドライブ装置Ｄは、ケーシング１と、ドライブ装置Ｄに装着された記録ディスクメディアＤＭを高速回転させるスピンドルモータ３と、記録ディスクメディアＤＭに対する情報の記録および再生を行うヘッド５と、このヘッド５を先端に取り付けるとともに支軸６の周りに揺動してヘッド５を記録ディスクメディアＤＭの半径方向に移動させるスイングアームＳＡと、スイングアームＳＡを所定の揺動角で位置決めするアクチュエータ７と、スイングアームＳＡを所定の位置に待機させるランプ部８と、記録ディスクカートリッジ１００の係止排出を行うための係止排出機構９（図２参照）と、を主に備えている。
【００３０】
ケーシング１は、ドライブ装置Ｄの略外形を構成しており、その内部に後記する各部品を格納するとともに、記録ディスクカートリッジ１００を収容する収容空間２を有している。このケーシング１は、上ケース１ａと下ケース１ｂとから構成されている。
上ケース１ａは、下ケース１ｂの上方開口を覆うように組み付けられるものであり、下ケース１ｂの蓋体として機能するようになっている。下ケース１ｂには、前記したドライブ装置Ｄの各種部品が配置されるようになっており、前記収容空間２を形成するものである。このような上ケース１ａおよび下ケース１ｂには、記録ディスクメディアＤＭの回転により生じる空気流を導くための溝部（上溝部２０Ａ，下溝部３０Ａ、図２参照）が設けられている。
【００３１】
はじめに、図２を参照して、上ケース１ａについて説明すると、上ケース１ａの底面（収容空間２に向く面）には、前記空気流を導くための上溝部２０Ａが設けられている。本実施形態では、上ケース１ａの底面に上シート状部材２０を貼付することにより、上溝部２０Ａが形成されている。上シート状部材２０は、上第１シート２１と、上第２シート２２とからなっており、これら上第１シート２１と上第２シート２２との間に形成される間隙（段差）により、上溝部２０Ａが形成される。本実施形態では、上溝部２０Ａが、図３に示すように、第１の端部としての前端部２０ａから第２の端部としての第１右端部２０ｂへ向けて右カーブを描くように形成されており、収容空間２に収納された記録ディスクカートリッジ１００（図１参照）の記録ディスクメディアＤＭの回転により生じる空気流に沿いつつ、また、図４に示すように、記録ディスクカートリッジ１００のアクセス用開口部１１１を迂回する状態に湾曲形成されている。つまり、上溝部２０Ａは、収容空間２に装着された記録ディスクカートリッジ１００のアクセス用開口部１１１に対向する領域を避けて、前端部２０ａから第１右端部２０ｂへ湾曲状に形成されている。
【００３２】
また、上溝部２０Ａは、前端部２０ａから第１右端部２０ｂに向けて断面積が減少するように設けられている。つまり、上溝部２０Ａは、前端部２０ａから第１右端部２０ｂに向けて幅が次第に狭くなっており、これによって、上溝部２０Ａにより導かれる空気流は、第１右端部２０ｂに近づくほど流速が速くなるようになっている。したがって、上ケース１ａの内側面（底面）において、アクセス用開口部１１１を避けつつ、記録ディスクメディアＤＭの回転により生じる空気流に沿った良好な空気の流れを上ケース１ａの内側面（底面）に形成することができる。
【００３３】
次に、再び図２を参照して、下ケース１ｂについて説明する。下ケース１ｂの上面（収容空間２に向く面）には、記録ディスクメディアＤＭの回転により生じる空気流を導くための平面視略Ｙ字形状の下溝部３０Ａが設けられている。本実施形態では、下ケース１ｂの上面に下シート状部材３０を貼付することにより、下溝部３０Ａが形成されている。
下シート状部材３０は、下第１シート３１と、下第２シート３２と、下第３シート３３とからなっており、これら下第１シート３１と下第２シート３２と下第３シート３３との間に形成される間隙（段差）により、下溝部３０Ａが形成される。なお、下第１シート３１には、アクチュエータ７の設置部分に対応して孔３１ａが形成されている。また、下第３シート３３には、スピンドルモータ３に対応して孔３３ａが形成されている。
【００３４】
本実施形態では、下溝部３０Ａが、図５に示すように、左端部３０ａから第２右端部３０ｂへ向けて下ケース１ｂを左側から右側へ横切るように形成された主溝３０Ａ１と、この主溝３０Ａ１に合流する副溝３０Ａ２とからなっている。つまり、下溝部３０Ａは、前記した上溝部２０Ａと相互に溝方向が異なっている。
主溝３０Ａ１は、収容空間２に収納された記録ディスクカートリッジ１００（図１参照）の記録ディスクメディアＤＭの回転により生じる空気流に略沿いつつ、また、図６に示すように、記録ディスクカートリッジ１００のアクセス用開口部１１１を迂回する状態に下ケース１ｂの後方ヘ向けてやや湾曲した状態に形成されている。つまり、主溝３０Ａ１は、図６中矢印Ｋ２方向に流れる空気流を形成する。また、副溝３０Ａ２は、第２右端部３０ｂから左方向に延設されて、合流部３０Ｂにて主溝３０Ａ１に合流するように形成されており、第３右端部３０ｃから合流部３０Ｂに通じる、図６中矢印Ｋ３方向に流れる空気流を形成する。
【００３５】
このような下溝部３０Ａは、前記したドライブ装置Ｄの各部品、例えば、アクチュエータ７、ランプ部８、係止排出機構９等の取付部位を迂回するかたちで形成されおり、各部品の存在が空気流の抵抗とならないようにされている。
【００３６】
次に、本実施形態に係るドライブ装置の動作について適宜図面を参照しながら説明しつつ、ドライブ装置Ｄの作用効果について説明する。
記録ディスクカートリッジ１００がドライブ装置Ｄに挿入されると、ドライブ装置Ｄ内のロック解除ピン（図示省略）により、ロータリシャッタ１２０のロックが解除され、シャッタノブ１２２がガイド溝１１２内を前側に向かって円弧状の軌道を描きながら移動する。そして、この移動に伴って、ロータリシャッタ１２０が回動してカートリッジケース１１０のアクセス用開口部１１１とロータリシャッタ１２０の切欠部１２１とが重なり合い、記録ディスクメディアＤＭがアクセス用開口部１１１に露出する。
【００３７】
記録ディスクカートリッジ１００がドライブ装置Ｄの所定の位置まで挿入されると、ドライブ装置Ｄの係止排出機構９により記録ディスクカートリッジ１００が係止されるとともに、スピンドルモータ３の回転軸４が記録ディスクメディアＤＭのハブ１２３に装着される。
そして、ドライブ装置Ｄのスピンドルモータ３が駆動され、回転軸４を介してハブ１２３に回転力が伝達されて記録ディスクメディアＤＭが回転を開始し、スイングアームＳＡのヘッドが、アクセス用開口部１１１に移動して、記録ディスクメディアＤＭに対し書き込み／読み取りが行われる。このとき、記録ディスクメディアＤＭの回転によって、記録ディスクカートリッジ１００の主として上面には、記録ディスクメディアＤＭの回転方向に部分的に沿うかたちで旋回空気流が生じる。このような旋回空気流を生じると、図４に示すように、ドライブ装置ＤのカートリッジスロットＤＳの隙間を通じて、外部からの空気がドライブ装置Ｄ内に引き込まれる空気の流れを生じる。
【００３８】
外部から引き込まれた空気は、このような旋回空気流に乗って通常であればアクセス用開口部１１１へ向かう流れ（不図示）をたどることとなるが、本実施形態のドライブ装置Ｄでは、上ケース１ａに上溝部２０Ａが設けられているので、外部から引き込まれた空気は、上溝部２０Ａに沿って、図中矢印Ｋ１方向に流れる。つまり、上溝部２０Ａによって、アクセス用開口部１１１へ向かう方向からアクセス用開口部１１１を迂回する方向へ空気流が導かれ、アクセス用開口部１１１よりも後方側となる第１右端部２０ｂからドライブ装置Ｄの外部へ排出される。したがって、外部から引き込まれた空気は、その大半が前記旋回空気流に沿いつつもアクセス用開口部１１１を迂回してドライブ装置Ｄの外部へ排出されることとなり、アクセス用開口部１１１に流れ込む空気流が大幅に抑制される。
【００３９】
これにより、ドライブ装置ＤのカートリッジスロットＤＳの隙間を通じて、仮に、塵埃がドライブ装置Ｄ内に流れ込んだとしても、塵埃は、アクセス用開口部１１１を迂回して最終的にドライブ装置Ｄの外に排出されるようになる。したがって、塵埃がアクセス用開口部１１１から記録ディスクカートリッジ１００内に侵入することが抑制される。
【００４０】
一方、記録ディスクメディアＤＭの回転により生じる旋回空気流によって、図６に示すように、下ケース１ｂには、上ケース１ａと下ケース１ｂとの隙間を通じて、外部からの空気が左端部３０ａからドライブ装置Ｄ内に引き込まれる空気の流れを生じる。
このように、左端部３０ａから引き込まれた空気は、旋回空気流に乗って通常であればアクセス用開口部１１１へ向かう流れ（不図示）をたどることとなるが、本実施形態のドライブ装置Ｄでは、下ケース１ｂに下溝部３０Ａが設けられているので、下溝部３０Ａの主溝３０Ａ１に沿って図中矢印Ｋ２方向に空気が流れる。つまり、主溝３０Ａ１によって、アクセス用開口部１１１へ向かう方向からアクセス用開口部１１１を迂回する方向へ空気流が導かれ、アクセス用開口部１１１よりも後方側となる第２右端部３０ｂからドライブ装置Ｄの外部へ排出される。したがって、左端部３０ａから引き込まれた空気は、その大半がアクセス用開口部１１１を迂回してドライブ装置Ｄの外部へ排出されることとなり、アクセス用開口部１１１に流れ込む空気流が大幅に抑制される。
【００４１】
また、ドライブ装置Ｄのケーシング１の右後方の部位では、上ケース１ａと下ケース１ｂとの隙間を通じて、外部からの空気が第３右端部３０ｃからドライブ装置Ｄ内に引き込まれる空気の流れを生じる。この第３右端部３０ｃから引き込まれた空気は、旋回空気流に導かれて通常であればアクセス用開口部１１１へ向かう流れ（不図示）をたどることとなるが、本実施形態のドライブ装置Ｄでは、下ケース１ｂに下溝部３０Ａの副溝３０Ａ２が設けられているので、副溝３０Ａ２に沿って図中矢印Ｋ３方向に空気が流れ、合流部３０Ｂで主溝３０Ａ１に流れる空気に合流する。そして、第２右端部３０ｂからドライブ装置Ｄの外部に排出されることとなる。
【００４２】
これにより、ドライブ装置Ｄの左端部３０ａ、第３右端部３０ｃにおける上ケース１ａと下ケース１ｂとの隙間を通じて、仮に、塵埃がドライブ装置Ｄ内に流れ込んだとしても、塵埃は、アクセス用開口部１１１を迂回して最終的に第２右端部３０ｂにおける上ケース１ａと下ケース１ｂとの隙間からドライブ装置Ｄの外に排出されるようになる。したがって、塵埃がアクセス用開口部１１１から記録ディスクカートリッジ１００内に侵入することが抑制される。
【００４３】
以上説明した本実施形態のドライブ装置Ｄによれば、上ケース１ａおよび下ケース１ｂに、空気流を導くための上溝部２０Ａ、下溝部３０Ａが設けられているので、これらの上溝部２０Ａ、下溝部３０Ａを通じて記録ディスクカートリッジ１００のアクセス用開口部１１１へ向かう空気流を規制して、アクセス用開口部１１１から外れる方向へ導くことが可能となる。
【００４４】
また、上溝部２０Ａ、下溝部３０Ａは、収容空間２に装着された記録ディスクカートリッジ１００のアクセス用開口部１１１に対向する領域を避けて形成されているので、アクセス用開口部１１１へ向かう空気流を確実に抑制することができ、アクセス用開口部１１１から記録ディスクカートリッジ１００内に塵埃が入り込むのを好適に防止することができる。
【００４５】
さらに、上溝部２０Ａおよび下溝部３０Ａは、前記したようにケーシング１の端部から端部（例えば、上溝部２０Ａでは、前端部２０ａから第１右端部２０ｂ）へ向けて形成されているので、外部からドライブ装置Ｄ内に入り込んだ空気を再び外部に排出することが可能となり、アクセス用開口部１１１から記録ディスクカートリッジ１００内に塵埃が入り込むのを好適に防止することができる。
【００４６】
また、上溝部２０Ａは、前端部２０ａから第１右端部２０ｂに向けて断面積が減少するように設けられているので、第１右端部２０ｂに近づくほど空気流は速くなり、第１右端部２０ｂの上ケース１ａと下ケース１ｂとの隙間を通じてドライブ装置Ｄから外に漏れる空気量を増大させることができる。これにより、アクセス用開口部１１１から記録ディスクカートリッジ１００内に塵埃が入り込むのを好適に防止することができる。
【００４７】
さらに、上溝部２０Ａおよび下溝部３０Ａは相互に溝方向が異なる構成となっているので、上ケース１ａに沿って流れる空気流と下ケース１ｂに沿って流れる空気流とを形成することができ、記録ディスクカートリッジ１００の上面側と下面側とでは微妙に異なる空気流に対応させた流れを形成することができる。これにより、アクセス用開口部１１１から記録ディスクカートリッジ１００内に塵埃が入り込むのをより一層好適に防止することができる。
【００４８】
また、下溝部３０Ａは、主溝３０Ａ１と副溝３０Ａ２とからなり、主溝３０Ａ１と副溝３０Ａ２とが合流する合流部３０Ｂが設けられているので、合流部３０Ｂを通じて効率的に空気を導くことができ、アクセス用開口部１１１から記録ディスクカートリッジ１００内に塵埃が入り込むのをより一層好適に防止することができる。
また、狭いスペースに効率よく下溝部３０Ａを形成することができ、空気流のコントロールを好適に行うことができる。
【００４９】
また、上溝部２０Ａおよび下溝部３０Ａは、上シート状部材２０、下シート状部材３０をそれぞれ貼付することにより設けられるので、形成が簡単であり、既存のドライブ装置に大きな変更を加えることなく、空気流を所定の方向へ導く機能を、ドライブ装置Ｄに簡易に付加することができる。
【００５０】
以上、本発明の好適な実施形態について説明したが、本発明は前記実施形態に限定されるものではない。
例えば、上溝部２０Ａ、下溝部３０Ａは、両方設ける必要はなく、いずれか一方を設けてもよい。また、上溝部２０Ａ、下溝部３０Ａの溝形状は、収容空間２に収容する記録ディスクカートリッジの仕様や収容空間２に配置されるドライブ装置Ｄの各部品の形状や仕様によって、適宜変更して形成することができる。
【００５１】
また、前記実施形態では、上シート状部材２０を貼付することにより上溝部２０Ａを形成し、下シート状部材３０を貼付することにより下溝部３０Ａを形成したが、上溝部２０Ａ、下溝部３０Ａの形成はこれに限られることはなく、例えば、上ケース１ａ，下ケース１ｂにプレス加工等を施すことによって形成してもよい。
【図面の簡単な説明】
【００５２】
【図１】本実施形態に係るドライブ装置を上方から見下ろした斜視図である。
【図２】本実施形態に係るドライブ装置を示す分解斜視図である。
【図３】上ケースに取り付けられる上シート状部材の構成図である。
【図４】上ケースにおける空気流を示す模式図である。
【図５】下ケースに取り付けられる下シート状部材の構成図である。
【図６】下ケースにおける空気流を示す模式図である。
【符号の説明】
【００５３】
１      ケーシング
１ａ    上ケース
１ｂ    下ケース
２      収容空間
３      スピンドルモータ
４      回転軸
９      係止排出機構
２０    上シート状部材
２０Ａ  上溝部
２０ａ  前端部
２０ｂ  第１右端部
３０    下シート状部材
３０Ａ  下溝部
３０Ａ１  主溝
３０Ａ２  副溝
３０Ｂ  合流部
３０ａ  左端部
３０ｂ  第２右端部
３０ｃ  第３右端部
１００  記録ディスクカートリッジ
１１０  カートリッジケース
１１１  アクセス用開口部
Ｄ      ドライブ装置
ＤＭ    記録ディスクメディア
ＤＳ    カートリッジスロット
【図１】
2007164943.tif 000003
【図２】
2007164943.tif 000004
【図３】
2007164943.tif 000005
【図４】
2007164943.tif 000006
【図５】
2007164943.tif 000007
【図６】
2007164943.tif 000008